(57)【要約】【課題】畳ベッドに対し、取付け時の安定性に優れ且つ畳ベッドが傷つけられることなく、ベッド側方からの蒲団のずり落ちを防止すると同時に、病人や老人が安全に且つ安定して自力でベッドの昇降を行なうことを助ける装置を簡便な構造にて提供する。【解決手段】畳ベッドの縁枠上に跨設されるようコ字型に形成された縁枠跨ぎ部と畳の下面に沿って延在する扁平な畳下潜り部とを有する基部と、下端を基部により支持されて上向きに延在する一対の支柱部とを有し、一対の支柱部の隔置距離は人の肩幅よりやや大きい程度とされ且つ一対の支柱部間の空隙は人を通過させる大きさとされている畳ベッド用蒲団脱落防止兼昇降補助装置。【選択図】図１
0003125144.tif 000002
【実用新案登録請求の範囲】
【請求項１】
縁枠の内側に畳が敷かれた畳ベッドの前記縁枠上に跨設されるよう前壁部と頂壁部と後壁部とを有するコ字型に形成された縁枠跨ぎ部と、一端にて前記縁枠跨ぎ部の前記後壁部の下端に繋がり前記畳の下面に沿って他端まで延在する扁平な畳下潜り部とを有する基部と、下端を前記基部により支持され上端まで上向きに延在するよう構成されてベッド側縁に沿って隔置された一対の支柱部とを有し、前記一対の支柱部の隔置距離は人の肩幅よりやや大きい程度とされ且つ該一対の支柱部間の空隙は人を通過させる大きさとされていることを特徴とする畳ベッド用蒲団脱落防止兼昇降補助装置。
【請求項２】
前記支柱部はその下端にて前記基部の前記縁枠跨ぎ部の前壁部に固定されていることを特徴とする請求項１に記載の畳ベッド用蒲団脱落防止兼昇降補助装置。
【請求項３】
前記基部はベッド側縁に沿って隔置された一対の帯状板材とこれらをその前記縁枠跨ぎ部にて互いに連結する梁部材とからなることを特徴とする請求項１または２に記載の畳ベッド用蒲団脱落防止兼昇降補助装置。
【請求項４】
前記梁部材はその両端部の各々にて各側の前記縁枠跨ぎ部と前記支柱部の両方に連結されていることを特徴とする請求項３に記載の畳ベッド用蒲団脱落防止兼昇降補助装置。
【請求項５】
前記一対の支柱部の各々の前記上端部は管材を逆Ｕ字型に湾曲させた構造よりなっていることを特徴とする請求項１〜４のいずれかに記載の畳ベッド用蒲団脱落防止兼昇降補助装置。
【請求項６】
前記一対の支柱部の各々の前記上端部は水平の短管材よりなる握り部を備えていることを特徴とする請求項１〜４のいずれかに記載の畳ベッド用蒲団脱落防止兼昇降補助装置。
【請求項７】
前記一対の支柱部の各々の上端部はそれより下の部分に対し前記畳下潜り部の側へ折り曲げられていることを特徴とする請求項１〜６のいずれかに記載の畳ベッド用蒲団脱落防止兼昇降補助装置。
【考案の詳細な説明】
【技術分野】
【０００１】
本考案は、畳ベッドより蒲団が側方に脱落するのを防止する装置として作用すると同時に、病人や老人が自力で畳ベッドを降りまた畳ベッドへ昇るのを補助する装置として作用する畳ベッド用蒲団脱落防止兼昇降補助装置に係わる。
【背景技術】
【０００２】
ベッドより蒲団が側方に脱落するのを防止する装置として、本件出願人は、嘗て下記の非特許文献１にて、マットの下面とベッドの上面との間に差し込める様に金属パイプを屈曲成形せしめたコ字形の水平差し込み部と、該水平差し込み部の両端から延設されたコ字形をした金属パイプ製のサイド立上り部とからなり、サイド立上り部はその側柱部が内側に向って曲線状に湾曲していると共に、両側柱部間には網状体が取付けられていることを特徴とするベッドの蒲団脱落防止棚を提案した。このベッド用蒲団脱落防止棚は、特に、サイド立上り部の側柱部が内側に向って曲線状に湾曲していることにより、それ以前の単純な垂直衝立型の蒲団脱落防止装置に比して、蒲団に縦皺を生じさせることなく蒲団を側方より押さえ、ベッド側縁から蒲団がずり落ちることを防止することができる。
【非特許文献１】実用新案登録第３０３４４２２号明細書および図面
【０００３】
畳の上に蒲団を延べる旧来の日本式床延べ方式に比して、介護がより容易なことから、近年は病人だけでなく老人にもベッドを用いることが盛んになってきている。確かにベッドは、病人や老人を介護する者にとっては、介護をより容易にするものではあるが、ベッド上に横たわる病人や老人にとっては、ベッドの昇降、特にベッドより誤って転落することのないよう自力でベッドを降りることは、容易でないことが多い。
【０００４】
上記の事情に鑑み、本件出願人は、ベッド側方からの蒲団のずり落ちを防止すると同時に、病人や老人が安全に且つ安定して自力でベッドの昇降を行なうことを助ける装置を簡便な構造にて提供するものとして、下記の特許文献１に記載されているように、ベッドの上面とその上に載置されたマットまたは敷蒲団の間またはベッドの上に重ね載置されたマットまたは敷蒲団の間に差し込まれるよう構成された扁平な差し込み部と、下端を前記差し込み部により支持されベッド側縁に沿って隔置されて上端まで上向きに延在するよう構成された一対の支柱部とを有し、前記一対の支柱部の隔置距離は人の肩幅よりやゝ大きい程度とされ且つ該一対の支柱部間の空隙は人を通過させる大きさとされていることを特徴とするベッド用蒲団脱落防止兼昇降補助装置を提案した。
【特許文献１】特開２００１−２４５７５３号公報
【考案の開示】
【考案が解決しようとする課題】
【０００５】
近年ベッドの使用が盛んになってきてはいるが、日本人は畳への強い愛着を有している。そこでベッドの利点を得つつ畳への欲救を同時に満足させるべく、ベッドの上面を畳にて構成した畳ベッドが製造されまた販売されている。畳の平面輪郭はベッドの平面輪郭にほぼ一致するが、畳の縁は構造的にも外観上も露呈されるには適さないので、畳ベッドは通常畳の周縁に沿って木材等よりなる縁枠を設け、その内側に畳を敷いた構造に作られ、縁枠は日本間に於ける敷居と同じようにその上面が畳の上面に一致する高さとされている。かかる畳ベッドでは、畳の部屋に布団を敷くのと同じようにその上に布団あるいはマットが敷かれるので、上記の特許文献１にて提案されている如きベッド用蒲団脱落防止兼昇降補助装置の差し込み部を畳と縁枠とがなす平らなベッド上面とその上に敷かれた布団またはマットの間に挿入して用いることが考えられる。しかし、かかるベッド用蒲団脱落防止兼昇降補助装置の差し込み部にとって畳の表面や木材等よりなる縁枠の表面は滑り易いので、畳ベッドとその上に敷かれた布団またはマットとの間に上記の差し込み部を挿入する同装置の取付けでは、装置の安定性が欠け、一方、畳の表面や木材等よりなる縁枠の表面は金属管等よりなる上記の差し込み部によって傷付き易い。
【０００６】
本考案は、上記の如き畳ベッドについても、取付け時の安定性に優れ、且つ畳および木材等よりなる縁枠の表面が傷つけられることなく、ベッド側方からの蒲団のずり落ちを防止すると同時に、病人や老人が安全に且つ安定して自力でベッドの昇降を行なうことを助ける装置を簡便な構造にて提供することを課題としている。
【課題を解決するための手段】
【０００７】
上記の課題を解決するものとして、本考案は、縁枠の内側に畳が敷かれた畳ベッドの前記縁枠上に跨設されるよう前壁部と頂壁部と後壁部とを有するコ字型に形成された縁枠跨ぎ部と、一端にて前記縁枠跨ぎ部の前記後壁部の下端に繋がり前記畳の下面に沿って他端まで延在する扁平な畳下潜り部とを有する基部と、下端を前記基部により支持され上端まで上向きに延在するよう構成されてベッド側縁に沿って隔置された一対の支柱部とを有し、前記一対の支柱部の隔置距離は人の肩幅よりやや大きい程度とされ且つ該一対の支柱部間の空隙は人を通過させる大きさとされていることを特徴とする畳ベッド用蒲団脱落防止兼昇降補助装置を提案するものである。
【０００８】
上記の如き畳ベッド用蒲団脱落防止兼昇降補助装置に於いて、前記支柱部はその下端にて前記基部の前記縁枠跨ぎ部の前壁部に固定されていてよい。
【０００９】
また、前記基部はベッド側縁に沿って隔置された一対の帯状板材とこれらをその前記縁枠跨ぎ部にて互いに連結する梁部材とからなっていてよい。この場合、前記梁部材はその両端部の各々にて各側の前記縁枠跨ぎ部と前記支柱部の両方に連結されていてよい。
【００１０】
前記一対の支柱部の各々の前記上端部は管材を逆Ｕ字型に湾曲させた構造よりなっていてよい。
【００１１】
或いはまた、前記一対の支柱部の各々の前記上端部は水平の短管材よりなる握り部を備えていてよい。
【００１２】
上記いずれの場合にも、前記一対の支柱部の各々の上端部はそれより下の部分に対し前記畳下潜り部の側へ折り曲げられていてよい。
【考案の効果】
【００１３】
上記の如く縁枠の内側に畳が敷かれた畳ベッドの前記縁枠上に跨設されるよう前壁部と頂壁部と後壁部とを有するコ字型に形成された縁枠跨ぎ部と、一端にて前記縁枠跨ぎ部の前記後壁部の下端に繋がり前記畳の下面に沿って他端まで延在する扁平な畳下潜り部とを有する基部と、下端を前記基部により支持され上端まで上向きに延在するよう構成されてベッド側縁に沿って隔置された一対の支柱部とを有し、前記一対の支柱部の隔置距離が人の肩幅よりやや大きい程度とされ且つ該一対の支柱部間の空隙が人を通過させる大きさとされている畳ベッド用蒲団脱落防止兼昇降補助装置は、前記基部がその縁枠跨ぎ部にて畳ベッドの縁枠を跨ぎ、その畳下潜り部にて畳ベッドの畳の下に潜り込むように畳ベッドに装着されると、蒲団脱落防止兼昇降補助装置は、畳下潜り部にて畳の下面とその下にある畳載置面の間に密に挾圧されると同時に縁枠跨ぎ部の後壁部にて縁枠と畳の側縁の間に密に挾圧され、畳ベッドに対し高度に安定した状態に取り付けられる。こうして、蒲団脱落防止兼昇降補助装置は、畳や縁枠に対し押し付けられた状態でずれることがなく、特に畳とはその側縁と裏面にて接するので畳の上面が装置によって傷つけられることはない。また縁枠跨ぎ部の後壁部の高さが縁枠の高さに対比して適当に設計されていれば、縁枠跨ぎ部が縁枠上に強く押し付けられることもないので、縁枠跨ぎ部により縁枠が傷つけられることも回避される。かかる蒲団脱落防止兼昇降補助装置の畳ベッドへの取り付けは、畳の縁部を僅かに持ち上げ、装置の縁枠跨ぎ部がベッドの縁枠上にくるようにして、畳下潜り部を畳の下に潜らせ、持ち上げた畳の縁部を降ろすという簡単な操作により達成される。
【００１４】
前記支柱部がその下端にて前記基部の縁枠跨ぎ部の前壁部に固定されれば、支柱部と基部とを該前壁部の全高に亙る長さに沿って溶接等により結合することができ、基部による支柱部の支持を強固なものとすることができる。
【００１５】
上記の如き畳ベッド用蒲団脱落防止兼昇降補助装置の前記基部がベッド側縁に沿って隔置された一対の帯状板材とこれらをその前記縁枠跨ぎ部にて互いに連結する梁部材とからなっていれば、一対の帯状板材と一本の管片の如き梁部材とにより、前記基部は、軽量にして且つ安価であるにも拘らず、支柱部をベッドに対し取り付けるというその機能を十分に果たす構造となる。この場合、特に前記梁部材がその両端部の各々にて各側の縁枠跨ぎ部と支柱部の両方に連結されていれば、これらの梁部材と縁枠跨ぎ部と支柱部の相互結合により基部と支柱部の組合せ構造体に於ける両者間の結合の強度が増大すると同時に梁部材による一対の帯状板材の相互連結の強度も増大する。
【００１６】
前記一対の支柱部の各々の前記上端部が管材を逆Ｕ字型に湾曲させた構造よりなっているときには、ベッド使用者は、最初に片方の手で逆Ｕ字型に曲げられた管よりなる支柱部上端を掴むとき手前の管部を掴んでおけば、両脚を一対の支柱部間に通し、上体を起こし、更に他方の手にて他方の支柱部を掴んでベッドを降りるまで、最初に管を掴んだ手を逆Ｕ字型に曲げられた管に沿って滑らせることにより、横臥状態よりベッドを去るまでの間に支柱部に対する身体の向きが反転しても、始終管に対する手の掴み状態を変えなくてよくなる。
【００１７】
或いはまた、前記一対の支柱部の各々の前記上端部が水平の短管材よりなる握り部を備えていれば、ベッド使用者は掌を水平にして水平の短管材を握ることにより安定した握り感を得ることができる。
【００１８】
更にまた、前記一対の支柱部の各々の上端部がそれより下の部分に対し前記畳下潜り部の側へ折り曲げられているときには、ベッドの縁よりベッドの中心部へ向けて変位した位置まで腕に対する支持が得られる。
【考案を実施するための最良の形態】
【００１９】
以下に添付の図面を参照して本考案を実施例について更に詳細に説明する。
【００２０】
図１は、本考案による畳ベッド用蒲団脱落防止兼昇降補助装置の一つの実施例を畳ベッドに取り付けられた状態にて示す斜視図であり、図２はその上に蒲団が敷かれ、人が蒲団脱落防止兼昇降補助装置にて補助されて畳ベッドに対し昇降姿勢をなしている状態を示す斜視図である。これらの図に於いて、１０にて全体的に示された畳ベッドは、基台部１２の上周縁に沿って設けられた木材等よりなる長方形の環状縁枠１４を備えており、その内側にある平な基台部上面の上に畳１６が敷かれている。縁枠１４は長方形の横断面を有し、その上面は和室に於ける敷居の如く畳１６の上面と同一の高さに作られている。尚、１８および２０は抽斗である。２２にて全体的に示された畳ベッド用蒲団脱落防止兼昇降補助装置は、基部２４と一対の支柱部２６とを有している。
【００２１】
畳ベッド用蒲団脱落防止兼昇降補助装置２２は、図３、図４、図５にそれぞれ正面図、平面図、右側面図として示されている如き構造を有している。即ち、基部２４は、一対の帯状板材２８とこれらを互いに連結する管状の梁部材３０とからなっており、各帯状板材２８は、畳ベッドの縁枠１４上に跨設されるよう前壁部３２と頂壁部３４と後壁部３６とを有するコ字型に形成された縁枠跨ぎ部３８と、一端にて縁枠跨ぎ部の後壁部３６の下端に繋がる畳下潜り部４０とを有し、縁枠跨ぎ部の前壁部３２にて梁部材３０により互いに連結され、一対の畳下潜り部４０にて畳１６の下面に沿って延在する扁平な形状を呈している。
【００２２】
一対の支柱部２６の各々は、管部材を上端部が逆Ｕ字型をなすように湾曲させた構造を有し、その２つの脚部の一方は縁枠跨ぎ部３８の前壁部３２と溶接等により接合され、他方の脚部はその先端が梁部材３０に突き合わされて溶接等によりこれと接合されている。そして縁枠跨ぎ部３８の前壁部３２の上縁部と重なり合う梁部材３０の両端部は該前壁部３２と溶接等により接合されており、これによって一対の支柱部を構成する管部材と一対の縁枠跨ぎ部３８および畳下潜り部４０を構成する帯状板材とが梁部材３０により補強された状態にて三者互いに接合されると共に、かかる管部材と帯状板材との接合よりなる一対のＬ型部材が、梁部材３０により互いに強固に連結されて、畳ベッド用蒲団脱落防止兼昇降補助装置２２の要部が形成されている。更に、図示の例では、上端部にて逆Ｕ字型をなすように湾曲された管部材の２つの脚部の間に、４本の丸棒材よりなる横桟４２が、その両端にて溶接等により管部材に固定された状態に取り付けられ、支柱部の補強兼装飾と壁状化が図られている。
【００２３】
図６は、本考案による畳ベッド用蒲団脱落防止兼昇降補助装置の他の一つの実施例を示す正面図であり、図７はその右側面図である。この実施例は、図１〜５に示した実施例に於ける支柱部２６と同じ機能をなす支柱部２６Ａの各々の上端部が水平の短管材よりなる握り部４４を備えていると共に支柱部の上端部がそれより下の部分に対し畳下潜り部４０の側へ折り曲げられている点と、図１〜５に示した実施例の支柱部２６に於ける４本の横桟４２よりなる補強兼装飾と壁状化に代えて上下の横桟４６とその間に上下に張り渡された３本の縦棒４８により支柱部の補強兼装飾と壁状化がなされている点を除き、図１〜５に示した実施例と同じである。図６および７に於いて、図１〜５に示す部分と同じ部分には図１〜５に付した符号と同じ符号を付することとし、これらの部分についての更なる説明は明細書の冗長化を避けるため省略する。尚、図１〜５に示した実施例に於ける支柱部２６の上端部も、図７に示されている如くそれより下の部分に対し畳下潜り部４０の側へ折り曲げられてもよい。
【００２４】
図８は、本考案による畳ベッド用蒲団脱落防止兼昇降補助装置の更に他の一つの実施例を示す正面図である。この実施例は、支柱部２６Ｂの補強兼装飾と壁状化が、図６および７に示した実施例の支柱部２６Ａに於ける上下の横桟４６とその間に上下に張り渡された３本の縦棒４８よりなることに代えて、上下の横桟４６と縦棒４８より細い縦棒５０とこれに直角に組み合わされた７本の細い横棒５２よりなる点を除き、図６および７に示した実施例と同じである。図８に於いても、図６に示す部分と同じ部分には図６に付した符号と同じ符号を付することとし、これらの部分についての更なる説明は明細書の冗長化を避けるため省略する。
【００２５】
以上に於いては、本考案を特定の実施例について詳細に説明したが、これらの実施例について本発明の範囲内にて種々の変更が可能であることは当業者にとって明らかであろう。
【図面の簡単な説明】
【００２６】
【図１】本考案による畳ベッド用蒲団脱落防止兼昇降補助装置の一つの実施例を畳ベッドに取り付けられた状態にて示す斜視図。
【図２】図１に示す畳ベッド用蒲団脱落防止兼昇降補助装置を取り付けられた畳ベッドの上に蒲団が敷かれ、人が蒲団脱落防止兼昇降補助装置にて補助されて畳ベッドに対し昇降姿勢をなしている状態を示す斜視図。
【図３】図１および２に示す畳ベッド用蒲団脱落防止兼昇降補助装置の正面図。
【図４】図１〜３に示す畳ベッド用蒲団脱落防止兼昇降補助装置の平面図。
【図５】図１〜４に示す畳ベッド用蒲団脱落防止兼昇降補助装置の右側面図。
【図６】本考案による畳ベッド用蒲団脱落防止兼昇降補助装置の他の一つの実施例を示す正面図。
【図７】図６に示す畳ベッド用蒲団脱落防止兼昇降補助装置の右側面図。
【図８】本考案による畳ベッド用蒲団脱落防止兼昇降補助装置の更に他の一つの実施例を示す正面図。
【符号の説明】
【００２７】
１０…畳ベッド、１２…基台部、１４…縁枠、１６…畳、１８，２０…抽斗、２２…畳ベッド用蒲団脱落防止兼昇降補助装置、２４…同装置の基部、２６…同装置の支柱部、２８…帯状板材、３０…梁部材、３２…前壁部、３４…頂壁部、３６…後壁部、３８…縁枠跨ぎ部、４０…畳下潜り部、４２…横桟、４４…握り部、４６…横桟、４８，５０…縦棒、５２…横棒
【図１】
0003125144.tif 000003
【図２】
0003125144.tif 000004
【図３】
0003125144.tif 000005
【図４】
0003125144.tif 000006
【図５】
0003125144.tif 000007
【図６】
0003125144.tif 000008
【図７】
0003125144.tif 000009
【図８】
0003125144.tif 000010